(57)【要約】【課題】本発明は、枕上部に籠もった熱や湿気は即座に放出し、ポリウレタンフォームの内部に吸収された熱や湿気は徐々に放出されて枕全体の熱及び湿気が放出しうるようにした枕の内包材を提供することを目的とする。【解決手段】本発明に係る高通気性枕内包材Ｐは、内包材本体Ａとその下方に配置される２個一組の枕高さ調整用マットＢ、Ｂ’とから構成され、内包材本体Ａは少なくとも上層部１０と下層部２０との２層一体構造をなし、上層部１０は、汎用軟質ポリウレタンフォームから構成され、その上面側に凹凸部１１、１２が形成され、その凹部１１においては上層部を貫通する穴１１ａが形成され、下層部２０は無膜軟質ポリウレタンフォームから構成され、枕高さ調整用マットＢ、Ｂ’は汎用軟質ポリウレタンフォームから構成され、貫通穴Ｂ１、Ｂ１’を有する平板状をなすものである。【選択図】  図３
2011110266.tif 000002
【特許請求の範囲】
【請求項１】
少なくとも上層部と下層部との２層一体構造をなし、
上層部は、汎用軟質ポリウレタンフォームから構成され、その上面側に凹凸部が形成され、その凹部においては上層部を貫通する穴が形成され、
下層部は、無膜軟質ポリウレタンフォームから構成されている
ことを特徴とする高通気性枕内包材。
【請求項２】
下層部の下方に、汎用軟質ポリウレタンフォームから構成され、貫通穴を有する平板状の枕高さ調整用マット２個一組が組み込まれている
ことを特徴とする請求項１に記載の高通気性枕内包材。
【発明の詳細な説明】
【技術分野】
【０００１】
本発明は、寝具用の枕の内包材に関し、特に高通気性の枕の内包材に関する。
【背景技術】
【０００２】
近年開発されたものとして、無膜の軟質ポリウレタンフォームがある。この無膜の軟質ポリウレタンフォームは、ポリエステル系またはポリエーテル系の通常の連続気泡の軟質ポリウレタンフォーム（以下、無膜化されていない連続気泡の軟質ポリウレタンフォームを「汎用軟質ポリウレタンフォーム」という。）を例えば爆発法により無膜化することによって製造される（以下、無膜化された連続気泡の軟質ポリウレタンフォームを「無膜軟質ポリウレタンフォーム」という。）。この無膜軟質ポリウレタンフォームは、内部のリブ間の膜が効率よく除去され、空隙容量が汎用軟質ポリウレタンフォームに比して大変大きいことが、構造上の特徴である。従って、無膜軟質ポリウレタンフォームは、セルに膜が無く、骨格構造を成しているため、高い通気性および通水性を有する。しかも、この無膜軟質ポリウレタンフォームは、汎用軟質ポリウレタンフォームが有する硬さ、密度などの特性が無膜化によって損なわれず、むしろ引っ張り強さはより向上するという特徴を有している。
【０００３】
また、軟質ポリウレタンフォームについて、プロファイル加工などの加工によりその表面に凹凸を施したものが用いられており、通気性をさらに向上させるために凹部に軟質ポリウレタンフォームを貫通するスリットを設けたものが使用されている。
【０００４】
特許文献１には、全て無膜軟質ポリウレタンフォームより構成され、表面をプロファイル加工した上側のシートと、中間の下側シートと、その下に配される高さ調整用マットとの３層構造の積層体を内包材とする枕が示されている。
【０００５】
特許文献２には、枕本体と枕本体に内蔵される調節素材とからなり、枕本体の表面はプロファイル加工され、かつ、枕本体及び調節素材を貫通するスリットを設けた枕の内包材が示されている。しかし、特許文献２には、無膜軟質ポリウレタンフォームを使用するとの記載はない。
【先行技術文献】
【特許文献】
【０００６】
【特許文献１】特開２０００−１３９６５３号公報
【特許文献２】特開２００４−１５９９３０号公報
【発明の概要】
【発明が解決しようとする課題】
【０００７】
しかしながら、ポリウレタンフォームは通気性及び速乾性はあるものの本来保温性及び保湿性が高いものであるため、ポリウレタンフォームを内包材とする枕は、その使用中において、身体の頭部が接する枕の上部が最も温度が高くかつ湿気を含むため蒸れる状態となるので寝苦しくなる。特許文献１に記載の枕の内包材では、無膜軟質ポリウレタンフォームが通気性が高くかつ通水性が良好であるが、これはフォーム内の微少な空隙を通じての空気の移動による熱及び湿気の拡散放出によるものであるため、放熱及び放湿が緩やかである。したがって、枕の上部に籠もった熱及び湿気を即座に放出するためには、無膜軟質ポリウレタンフォームだけでは不十分である。
【０００８】
また、特許文献２に記載のものは、枕本体及び調節素材を貫通するスリットにより枕上部に籠もった熱や湿気をスリットを通じて枕の外部に放出するものであるが、例えばポリウレタンフォームの内部空隙に吸収保持された熱や湿気は容易に放出できず、枕全体の温度及び湿気を放出するには難点がある。
【０００９】
そこで、本発明者は、鋭意研究を重ね、枕上部に籠もった熱や湿気は即座に放出し、ポリウレタンフォームの内部に吸収された熱や湿気は徐々に放出されて枕全体の熱及び湿気が放出しうるようにした枕の内包材を案出した。
【課題を解決するための手段】
【００１０】
本発明に係る高通気性枕内包材は、少なくとも上層部と下層部との２層一体構造をなし、上層部は、汎用軟質ポリウレタンフォームから構成され、その上面側に凹凸部が形成され、その凹部においては上層部を貫通する穴が形成され、下層部は、無膜軟質ポリウレタンフォームから構成されていることを特徴とするものである。
【００１１】
また、上記の構成に加え、下層部の下方に、汎用軟質ポリウレタンフォームから構成され、貫通穴を有する平板状の枕高さ調整用マット２個一組が組み込まれている構成としてもよい。
【発明の効果】
【００１２】
上記のように本発明に係る高通気性枕内包材は、少なくとも上層部と下層部との２層一体構造をなし、上層部が汎用軟質ポリウレタンフォームから構成され、その上面側に凹凸部が形成され、その凹部においては上層部を貫通する穴が形成されているので、この上層部に籠もった熱や湿気は前記貫通穴を通じて下層部へ即座に放出される。そして、下層部が無膜軟質ポリウレタンフォームから構成されているので、上層部から下層部に放出された熱や湿気は、拡散放出により枕全体から緩やかに放熱及び放湿される。したがって、当該高通気性枕内包材を使用して枕を構成すると、蒸れ感が無く、快適な睡眠が得られる。
【００１３】
また、下層部の下方に、汎用軟質ポリウレタンフォームから構成され、貫通穴を有する平板状の枕高さ調整用マット２個一組が組み込まれている構成とした場合には、まず、貫通穴を有しているため、上記下層部に放出された熱や湿気が前記マットに放出され、マットの貫通穴を通じて内包材下方へ放出される。また、マットが２個一組であるため、マットを使用しない状態、マットを１個使用した状態、マットを２個使用した状態の３段階の高さ調節ができる。したがって、当該高通気性枕内包材を使用して枕を構成すると、蒸れ感が無く、快適な睡眠が得られるだけでなく、使用者の好の高さに応じて枕の高さを調節することができるので、寝心地がさらに良好となる。
【図面の簡単な説明】
【００１４】
【図１】本発明の実施例に係る高通気性枕内包材の斜視図である。
【図２】本発明の実施例に係る高通気性枕内包材の分解斜視図である。
【図３】本発明の実施例に係る高通気性枕内包材の断面図である。
【図４】本発明の実施例に係る高通気性枕内包材の上層部の部分拡大斜視図である。
【図５】本発明の実施例に係る高通気性枕内包材を使用して枕を完成させた
【発明を実施するための形態】
【００１５】
以下、本発明に係る枕の高通気性枕内包材について、添付の図面に基づき詳細に説明する。
【実施例】
【００１６】
図１〜図４において、Ａは高通気性枕内包材本体（以下、単に「内包材本体」という。）を表し、Ｂ、Ｂ’は枕高さ調整用マット（以下、単に「マット」という。）を表し、この内包材本体ＡにマットＢ、Ｂ’を組み合わせて内包材Ｐを構成し、図５に示すように、この内包材Ｐを側地Ｑにより覆い包んで枕Ｍが形成される。
【００１７】
内包材本体Ａは、図３及び図４に示すように、汎用軟質ポリウレタンフォームから構成された上層部１０と無膜軟質ポリウレタンフォームから構成された下層部２０との２層一体構造をなすものである。前記上層部１０は、その上面側にプロファイル加工により凹部１１と凸部１２とが形成され、その凹部１１には上層部１０を貫通する穴、本実施例においてはスリット１１ａが形成されている。上層部１０の下面は下層部２０の上面の形状に合わせた形状をなしており、内包材本体Ａは上層部１０の下面と下層部２０の上面とが接着されて一体構造をなしている。
【００１８】
上記構成の内包材本体Ａは、上層部１０が、汎用軟質ポリウレタンフォームから構成され、その上面側に凹凸部１１、１２が形成され、その凹部１１に上層部１０を貫通するスリット１１ａが形成されているので、この上層部１０の凹凸空間部に籠もった熱や湿気が前記スリット１１ａを通じて下層部２０へ即座に放出される。そして、無膜軟質ポリウレタンフォームから構成された下層部２０においては、上層部１０から下層部２０に放出された熱や湿気が、無膜軟質ポリウレタンフォームの拡散放出作用により枕全体から緩やかに放熱及び放湿されることになる。したがって、当該内包材本体Ａは、これを使用すると蒸れ感が無い。
【００１９】
下層部２０の下面はフラットに構成されており、その下方に２枚一組のマットＢ、Ｂ’が重ねられる。マットＢ、Ｂ’は、同一形態をなすものであって、いずれも汎用軟質ポリウレタンフォームから構成され、その上面及び下面がフラットな平板状の形態をなしている。そして、このマットＢ、Ｂ’には、いずれにもこれを貫通する貫通穴、本実施例においてはスリットＢ１、Ｂ１’が形成されてなるものである。
【００２０】
上記構成のマットＢ、Ｂ’は、これを貫通するスリットＢ１、Ｂ１’が形成されているため、前記した下層部２０に放出された熱や湿気の一部が前記マットＢ、Ｂ’に放出され、マットＢ、Ｂ’のスリットＢ１、Ｂ１’を通じて内包材の下方へ放出されることになる。したがって、上記構成のマットＢ、Ｂ’と前記した内包材本体Ａとからなる内包材Ｐを使用して枕を構成すると、内包材本体Ａによる蒸れ感の無意向かを妨げることがない。しかも、マットＢ、Ｂ’が２個一組であるため、マットを使用しない状態、マットを１個使用した状態、マットを２個使用した状態の３段階の高さ調節ができる。すなわち、図５に示す枕Ｍは、マットＢ、Ｂ’のうちの１個のマットＢを使用したものであるが、この枕Ｍの高さを低くする場合には、マットＢを除去すればよく、逆にこの枕Ｍの高さを高くする場合には、マットＢ’を追加すればよい。
【００２１】
以上のように本実施例に係る内方材Ｐは、これを使用して枕Ｍを構成すると、蒸れ感が無く、快適な睡眠が得られるだけでなく、使用者の好の高さに応じて枕の高さを調節することができるので、寝心地がさらに良好となる。
【符号の説明】
【００２２】
Ａ・・・高通気性枕内包材本体
１０・・内包材本体の上層部
１１・・上層部の凹部
１１ａ・凹部における上層部を貫通するスリット
１２・・上層部の凸部
２０・・内包材本体の下層部
Ｂ・・・枕高さ調整用マット
Ｂ’・・枕高さ調整用マット
Ｂ１・・枕高さ調整用マットを貫通するスリット
Ｂ１’・枕高さ調整用マットを貫通するスリット
Ｐ・・・内包材
Ｑ・・・側地
Ｍ・・・枕
【図１】
2011110266.tif 000003
【図２】
2011110266.tif 000004
【図３】
2011110266.tif 000005
【図４】
2011110266.tif 000006
【図５】
2011110266.tif 000007